(57)【要約】  フレキシブルケーブルにおいて、簡単な構成とし、製造を容易にし、かつ、十分なフレキシブル性を有するとともに容量値を大きくすることを可能とすること。  互いに対向する第１面及び第２面を有する長尺状のフレキシブル基材（１０）と、フレキシブル基材（１０）の第１面側に設けられ、フレキシブル基材（１０）の一方端部から他方端部に延設された第１コンデンサ電極（１１）と、フレキシブル基材（１０）の第２面側に設けられ、フレキシブル基材（１０）の他方端部から一方端部に延設された第２コンデンサ電極（２１）と、フレキシブル基材（１０）の一方端部であって第１コンデンサ電極（１１）の端部に設けられた第１接続部（１２）と、フレキシブル基材（１０）の他方端部であって第２コンデンサ電極（２１）の端部に設けられた第２接続部（２２）と、を備えている。
2014203633.tif 000002
【特許請求の範囲】
【請求項１】
互いに対向する第１面及び第２面を有する長尺状のフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備えたことを特徴とするフレキシブルケーブル。
【請求項２】
前記第１接続部及び前記第２接続部は、それぞれ、別体に配置された第１の基板及び第２の基板に設けた電気導体に接続されるものであること、を特徴とする請求項１に記載のフレキシブルケーブル。
【請求項３】
前記第１接続部及び前記第２接続部にコネクタ部材が取り付けられていること、を特徴とする請求項１又は請求項２に記載のフレキシブルケーブル。
【請求項４】
前記第１コンデンサ電極及び／又は前記第２コンデンサ電極は、前記フレキシブル基材に複数層にわたって延設されており、かつ、該複数層の電極がビアホール導体を介して接続されていること、を特徴とする請求項１ないし請求項３のいずれかに記載のフレキシブルケーブル。
【請求項５】
前記フレキシブル基材の少なくとも一方端部が折り返されていること、を特徴とする請求項１ないし請求項４のいずれかに記載のフレキシブルケーブル。
【請求項６】
前記フレキシブル基材の一方端部又は他方端部が（２ｎ＋１）回折り返されており、他方端部又は一方端部が２ｎ回折り返されていること（但しｎは０、又は正の整数である）、を特徴とする請求項１ないし請求項５のいずれかに記載のフレキシブルケーブル。
【請求項７】
前記フレキシブル基材の一方端部及び他方端部はそれぞれ同じ回数だけ折り返されていること、を特徴とする請求項１ないし請求項４のいずれかに記載のフレキシブルケーブル。
【請求項８】
前記フレキシブル基材は、その中央部で折り返されていること、を特徴とする請求項１ないし請求項４のいずれかに記載のフレキシブルケーブル。
【請求項９】
前記フレキシブル基材が折り返された部分に接着層が介在されていること、を特徴とする請求項５ないし請求項８のいずれかに記載のフレキシブルケーブル。
【請求項１０】
前記フレキシブル基材の一方端部及び／又は他方端部に補強板が配置されていること、を特徴とする請求項１ないし請求項９のいずれかに記載のフレキシブルケーブル。
【請求項１１】
互いに対向する第１面及び第２面を有する長尺状のフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備えたフレキシブルケーブルと、
前記第１接続部が接続された第１回路要素と、
前記第２接続部が接続された第２回路要素と、
を備えたことを特徴とする電子機器。
【発明の詳細な説明】
【技術分野】
【０００１】
本発明は、フレキシブルケーブル、特に、容量を内蔵して基板間を電気的に接続するためのフレキシブルケーブル及び該ケーブルを備えた電子機器に関する。
【背景技術】
【０００２】
近年、携帯端末などには複数の回路基板が内蔵されており、これらの複数の回路基板間を電気的に接続するためのケーブルが必要とされている。この種のケーブルは引き回しの容易性からフレキシブルなことが望まれ、かつ、単に電気的な接続を図るのみならず、コンデンサ素子などの受動素子が設けられていることが好ましい。【０００３】
従来、フレキシブルなコンデンサとしては特許文献１に記載のものが知られている。しかしながら、このフレキシブル薄膜コンデンサは複数の電極膜や誘電体層が積層されているため、フレキシブル性が必ずしも良好ではなく、製造工程が煩雑である。また、端子間の寸法が小さいので、容量値の大きなコンデンサを形成することが困難である。
【先行技術文献】
【特許文献】
【０００４】
【特許文献１】特開２０００−３５７６３１号公報
【発明の概要】
【発明が解決しようとする課題】
【０００５】
本発明の目的は、簡単な構成からなり、容易に製造可能であって、十分なフレキシブル性を有し、容量値の大きなコンデンサ素子を備えたフレキシブルケーブル及び電子機器を提供することにある。
【課題を解決するための手段】
【０００６】
本発明の第１の形態であるフレキシブルケーブルは、
互いに対向する第１面及び第２面を有する長尺状のフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備えたことを特徴とする。【０００７】
本発明の第２の形態である電子機器は、前記フレキシブルケーブルと、前記第１接続部が接続された第１回路要素と、前記第２接続部が接続された第２回路要素と、を備えたことを特徴とする。【０００８】
前記フレキシブルケーブルは、第１接続部及び第２接続部をそれぞれ回路基板の所定の電気導体に接続することで、１又は複数の回路基板をコンデンサ素子としての機能を付加した状態で電気的に接続する。このフレキシブルケーブルは、長尺状のフレキシブル基材とその第１面及び第２面にそれぞれ設けられた第１コンデンサ電極及び第２コンデンサ電極との積層構造からなるため、構造が簡単であり、フレキシブル性に優れ、かつ、製造も容易である。また、フレキシブル基材の長さを大きくすることによって、コンデンサ素子の容量値を大きく設定することが可能である。
【発明の効果】
【０００９】
本発明によれば、簡単な構成からなり、容易に製造可能であって、十分なフレキシブル性を有し、容量値の大きなコンデンサ素子を備えたフレキシブルケーブル及び電子機器を得ることができる。
【図面の簡単な説明】
【００１０】
【図１】第１実施例であるフレキシブルケーブルを示し、（Ａ）は斜視図、（Ｂ）は容量発生の説明図、（Ｃ）は等価回路図である。
【図２】前記フレキシブルケーブルを備えた携帯電話機の概略構成を示し、（Ａ）は断面図、（Ｂ）は筺体の内部を示す平面図である。
【図３】前記フレキシブルケーブルの第１の取付け状態を示す断面図である。
【図４】前記フレキシブルケーブルの第２の取付け状態を示す断面図である。
【図５】前記フレキシブルケーブルの第３の取付け状態を示す断面図である。
【図６】前記フレキシブルケーブルの第４の取付け状態を示す断面図である。
【図７】前記フレキシブルケーブルの第５の取付け状態を示す断面図である。
【図８】第２実施例であるフレキシブルケーブルを示す斜視図である。
【図９】第３実施例であるフレキシブルケーブルとその取付け状態を示す断面図である。
【図１０】第４実施例であるフレキシブルケーブルを示し、（Ａ）は断面図、（Ｂ）はＹ部分の分解斜視図である。
【図１１】（Ａ），（Ｂ）ともに、フレキシブルケーブルの他の取付け状態を示す平面図である。
【図１２】フレキシブルケーブルの他の例を示す平面図である。
【発明を実施するための形態】
【００１１】
以下、本発明に係るフレキシブルケーブル及び電子機器の実施例について添付図面を参照して説明する。なお、各図において、共通する部品、部分は同じ符号を付し、重複する説明は省略する。
【００１２】
第１実施例であるフレキシブルケーブル１Ａは、図１（Ａ）に示すように、互いに対向する第１面及び第２面を有する長尺状の誘電体からなるフレキシブル基材１０と、第１コンデンサ電極１１と、第２コンデンサ電極２１とで構成されている。即ち、第１コンデンサ電極１１と第２コンデンサ電極２１とはフレキシブル基材１０を介して対向配置されており、これにより、コンデンサ素子が構成されている。第１コンデンサ電極１１は、フレキシブル基材１０の第１面のほぼ全面に設けられ、フレキシブル基材１０の一方端部から他方端部に延設され、端部には雄型のコネクタ１２（第１接続部）が配置されている。第２コンデンサ電極２１は、フレキシブル基材１０の第２面のほぼ全面に設けられ、フレキシブル基材１０の他方端部から一方端部に延設され、端部には雄型のコネクタ２２（第２接続部）が配置されている。これらのコネクタ１２，２２は表面実装型のコネクタである。
【００１３】
このフレキシブルケーブル１Ａにあっては、図１（Ｂ）に示すように、大面積の容量部が形成され、高周波的には図１（Ｃ）に示すように、複数のインダクタとキャパシタを有したＬｏｗ-ＥＳＬ回路を構成しており、高周波電流は、例えば、コネクタ２２からコネクタ１２へ矢印ａ方向に流れる。フレキシブルケーブル１Ａは、長尺状のフレキシブル基材１０とその第１面及び第２面にそれぞれ設けられた第１コンデンサ電極１１及び第２コンデンサ電極２１との積層構造からなるため、構造が簡単であり、フレキシブル性に優れ、かつ、製造も容易である。また、フレキシブル基材１０の長さや幅を大きくすることによって、コンデンサ素子の容量値を大きく設定することが可能である。特に、第１実施例においては、フレキシブル基材１０にはビアホール導体などの層間接続導体が存在しないため、製造工程がより簡略化されるとともに、フレキシブル性が大きく損なわれることもない。
【００１４】
フレキシブル基材１０は、例えば、液晶ポリマーやポリイミドのような熱可塑性樹脂から形成されている。コンデンサ電極１１，２１は、例えば、銅やアルミニウムなどの金属箔から形成されている。
【００１５】
フレキシブルケーブル１Ａは、好ましくは、広い面積のフレキシブル基材１０（マザーシート）の表裏面のそれぞれに全面的にコンデンサ電極１１，２１をラミネートしたものから作製される。例えば、誘電体基材の両主面に金属箔を有した両面金属貼りシートを用意し、各主面の金属箔をフォトリソグラフィー及び／又はエッチング技術を利用してパターニングすることにより、各コンデンサ電極１１，２１を有したフレキシブル基材１０を得ることができる。金属箔として例えば銅箔が用いられる。即ち、マザーシート上のコンデンサ電極を一単位のケーブルに対応した短冊状にエッチング処理で形成し、マザーシートをカットすることにより１単位のフレキシブルケーブル１Ａが得られる。
【００１６】
前記フレキシブルケーブル１Ａは、例えば、図２に示す携帯端末５０に内蔵されている回路基板５５，５７の間を容量を介して接続するために使用される。ここで、携帯端末５０の筺体は本体５１と裏蓋５２とで構成されている。本体５１にはバッテリーパック５３を挟んで回路基板５５，５７が配置され、回路基板５５，５７上には種々の回路素子が実装されている。フレキシブルケーブル１Ａは、回路基板５５，５７上に設けた雌型コネクタ６１，６２に前記雄型コネクタ１２，２２を接続することで、バッテリーパック５３を跨いで回路基板間５５，５７を接続する。
【００１７】
フレキシブルケーブル１Ａにおいては、より詳細には、図３に示すように、コンデンサ電極１１，２１の表面に、コネクタ１２，２２の取付け部分を除いて、絶縁性保護材としてのレジスト層１３，２３が設けられている。即ち、コンデンサ電極１１、２１はレジスト層１３，２３にそれぞれ覆われており、レジスト層１３，２３は、コンデンサ電極１１，２１の耐腐食性向上に寄与するとともに、コンデンサ電極１１，２１に対する他の金属材からの絶縁性を確保している。但し、レジスト層１３，２３は、折返し部分の柔軟性を確保するため、該折返し部分には設けないようにしてもよい。
【００１８】
図３は、フレキシブルケーブル１Ａの第１の取付け状態を示すものであって、フレキシブルケーブル１Ａの一方端部は折り返されることなく、第１コンデンサ電極１１の端部がコネクタ１２を介して回路基板５５上に設けたコネクタ６１に接続される。また、フレキシブルケーブル１Ａの他方端部は１回折り返すことにより、第２コンデンサ電極２１の端部がコネクタ２２を介して回路基板５７上の設けたコネクタ６２に接続される。コネクタ６１，６２はそれぞれ回路基板５５，５７に設けたプリント配線５６，５８に接続されており、プリント配線５６，５８はレジスト層５９にて保護されている。
【００１９】
このように、フレキシブルケーブル１Ａの他方端部を１回折り返すことにより、ビアホール導体のような層間接続導体を設けなくても、ほぼ同一平面上に配置されている回路基板５５，５７のプリント配線５６，５８が、フレキシブルケーブル１Ａの表裏面に配置されたコンデンサ電極１１，２１を介して接続されることになる。なお、折り返し部分は図３に示した位置から左右方向にずらすことができる。そのため、図３において、コネクタ６１とコネクタ６２との間の距離が基板５５，５７の配置ずれなどで変化しても長さ調節が可能である。
【００２０】
さらに、フレキシブルケーブル１Ａの他方端部で折り返した部分は両面テープ３１で接着されている。これにて、特にフレキシブルケーブル１Ａ自体が弾性を有している場合、他方端部がばらけてしまうことが防止され、かつ、他方端部の強度が増すのでコネクタ２２，６２の嵌め込み作業が容易になる。即ち、フレキシブルケーブル１Ａは、接続部と重なるように折り返され、かつ、その形状が保持されていることが好ましい。また、フレキシブルケーブル１Ａの一方端部にはステンレスなどからなる補強板３２が貼着されており、コネクタ１２，６１の嵌め込み作業を容易なものとしている。なお、折り返し部分は両面テープの他、液状の接着剤等からなる接着層にてその形状が保持されていてもよい。
【００２１】
図４に前記フレキシブルケーブル１Ａの第２の取付け状態を示す。ここでは、フレキシブルケーブル１Ａの一方端部を蛇腹状に２回折返してコンデンサ電極１１の端部を導電性接着剤３３を介して回路基板５５のプリント配線５６に接続し、フレキシブルケーブル１Ａの他方端部を蛇腹状に３回折り返してコンデンサ電極２１の端部を導電性接着剤やはんだなどの接合剤３３を介して回路基板５７のプリント配線５８に接続している。
【００２２】
ほぼ同一平面上に配置された回路基板５５，５７の間にフレキシブルケーブル１Ａを配置する場合、フレキシブルケーブル１Ａの一方端部又は他方端部は（２ｎ＋１）回折り返され、他方端部又は一方端部は２ｎ回折り返されることが必要となる。但し、ｎは０又は正の整数である。即ち、フレキシブルケーブル１Ａの端部が接続される二つの被接続部の向く向きがそれぞれ同方向である場合、各端部の折り返し回数の差が奇数になっていればよい。
【００２３】
図５にフレキシブルケーブル１Ａの第３の取付け状態を示す。ここでは、互いに対向する方向に配置された回路基板５５，５７のプリント配線５６，５８をフレキシブルケーブル１Ａで接続する場合である。フレキシブルケーブル１Ａの一方端部及び他方端部のそれぞれを同じ回数（ここでは１回ずつ）折り返し、コンデンサ電極１１の端部をコネクタ１２，６１を介して回路基板５５のプリント配線５６に接続し、コンデンサ電極２１の端部をコネクタ２２，６２を介して回路基板５７のプリント配線５８に接続している。二つの被接続部の向く向きがそれぞれ逆方向である場合、フレキシブルケーブル１Ａの一方端部と他方端部との折返し回数は必ずしも同数ではなく、折返し回数の差が偶数であればよい。
【００２４】
図６にフレキシブルケーブル１Ａの第４の取付け状態を示す。ここでは、垂直方に配置された回路基板５５のプリント配線５６と水平方向に配置された回路基板５７のプリント配線５８をフレキシブルケーブル１Ａで接続する場合である。フレキシブルケーブル１Ａの一方端部をほぼ直角に屈曲させ、コンデンサ電極１１の端部をコネクタ１２，６１を介して回路基板５５のプリント配線５６に接続し、フレキシブルケーブル１Ａの他方端部を１回折り返し、コンデンサ電極２１の端部をコネクタ２２，６２を介して回路基板５７のプリント配線５８に接続している。
【００２５】
図７にフレキシブルケーブル１Ａの第５の取付け状態を示す。ここでは、垂直方向に配置された回路基板５５のプリント配線５６と下向きに配置された回路基板５７のプリント配線５８をフレキシブルケーブル１Ａで接続する場合である。フレキシブルケーブル１Ａの一方端部をほぼ直角に屈曲させ、コンデンサ電極１１の端部をコネクタ１２，６１を介して回路基板５５のプリント配線５６に接続し、フレキシブルケーブル１Ａの他方端部を折り返すことなく、コンデンサ電極２１の端部をコネクタ２２，６２を介して回路基板５７のプリント配線５８に接続している。
【００２６】
図８に第２実施例であるフレキシブルケーブル１Ｂを示す。このフレキシブルケーブル１Ｂは、１枚の長尺状のフレキシブル基材１０の第１面及び第２面に、それぞれ対向する３対の第１コンデンサ電極１１ａ，１１ｂ，１１ｃ及び第２コンデンサ電極２１ａ，２１ｂ，２１ｃを設けたものである。従って、第１コンデンサ電極１１ａ，１１ｂ，１１ｃの端部に取り付けられたコネクタ１４、及び、第２コンデンサ電極２１ａ，２１ｂ，２１ｃの端部に取り付けられたコネクタ２４は、それぞれ、三端子タイプである。コンデンサ電極による回路は、２回路であってもよく、あるいは、３回路以上であってもよい。それぞれの回路において、コンデンサ電極１１ａ，２１ａ、１１ｂ，２１ｂ、１１ｃ，２１ｃの対向面積を異ならせれば、それぞれの回路における容量値を異ならせることができる。回路基板５５，５７への取付けは、前記した種々の形態を採用できることは勿論である。
【００２７】
図９に第３実施例であるフレキシブルケーブル１Ｃを示す。このフレキシブルケーブル１Ｃは、フレキシブル基材１０を複数層で形成し、第１面及び第２面に設けた第１コンデンサ電極１１及び第２コンデンサ電極２１以外にも、フレキシブル基材１０の内部にコンデンサ電極１５，２５が一方端部から他方端部へ延設されている。そして、第１コンデンサ電極１１の端部と内蔵されたコンデンサ電極１５の端部とがビアホール導体１６を介して接続され、第２コンデンサ電極２１の端部と内蔵されたコンデンサ電極２５の端部とがビアホール導体２６を介して接続されている。
【００２８】
本第３実施例においては、内蔵されたコンデンサ電極１５が第１コンデンサ電極１１と同電位であり、内蔵されたコンデンサ電極２５が第２コンデンサ電極２１と同電位である。即ち、電極１１，１５が第１コンデンサ電極として機能し、電極２１，２５が第２コンデンサ電極として機能する。よって、大きな容量値を得ることができる。なお、ビアホール導体１６，２６はＡｇやＣｕなどの柱状の金属体にて構成されており、このような層間接続導体をフレキシブル基材１０に設けるとフレキシブル性が損なわれるおそれがある。しかし、本第３実施例のごとく、ビアホール導体１６，２６をコネクタ１２，２２を配置したエリア、即ち、平面視で接続部と重なるエリア内に設けることにより、フレキシブル基材１０のフレキシブル性を損なうことはない。むしろ、接続部の剛性を高めるうえでは好ましい。
【００２９】
なお、前記実施例ではコネクタ１２，２２をケーブルのそれぞれ反対側の面に設けた例を示したが、本第３実施例のようにビアホール導体などの層間接続導体を用いることにより、コネクタ１２，２２をケーブルの同じ側の面に設けることも可能である。
【００３０】
図１０に第４実施例であるフレキシブルケーブル１Ｄを示す。このフレキシブルケーブル１Ｄは、他方端部の折返し部分において、第２コンデンサ電極２１に開口部２７を形成し、第１コンデンサ電極１１の両側に切欠き部１７を形成したものである。折返し部分はフレキシブル基材１０の伸びの状態によって容量値が変化することがある。本第４実施例では、折返し部分において電極１１，２１の対向部分をなくして容量が形成されないようにしている。これにて、折返し部分での容量値の変化を未然に解消することができる。
【００３１】
なお、折返し部分における容量値の変化を極力防止するには、折返し部分における電極１１，２１の対向部分を０にする以外に、電極１１，２１の一方のみの幅寸法を小さくするなどして、折返し部分の容量値を他の部分よりも小さくしてもよい。
【００３２】
また、フレキシブルケーブル１Ａは、図１１（Ａ）に示すように、中央部分で１回折り返した状態で回路基板のプリント配線５６，５８に接続することも可能である。この場合、同一平面上に配置されたプリント配線５６，５８に対しては、コンデンサ電極１１の端部が配線５６に接続され、コンデンサ電極２１の端部が配線５８に接続される。
【００３３】
さらに、フレキシブルケーブル１Ａは、図１１（Ｂ）に示すように、１回ひねった状態で回路基板のプリント配線５６，５８に接続することも可能である。この場合、同一平面上に配置されたプリント配線５６，５８に対しては、コンデンサ電極１１の端部が配線５６に接続され、コンデンサ電極２１の端部が配線５８に接続される。
【００３４】
なお、フレキシブルケーブル１Ａにおいて、コンデンサ電極１１，２１はフレキシブル基材１０の第１面及び第２面にそれぞれ全面的に設けられている必要はなく、例えば、図１２に示すように、第１コンデンサ電極１１の端部１１’を幅狭の第１接続部とし、第２コンデンサ電極２１の端部２１’を幅狭の第２接続部としてもよい。
【００３５】
（他の実施例）
なお、本発明に係るフレキシブルケーブル及び電子機器は前記実施例に限定するものではなく、その要旨の範囲内で種々に変更することができる。
【００３６】
例えば、コンデンサ電極の細部の構成、形状などは任意である。フレキシブルケーブルによって接続される回路基板の構成、形状、配置関係なども任意である。特に、フレキシブルケーブルが配置される電子機器は前記携帯端末に限定するものではない。フレキシブルケーブルの第１接続部及び第２接続部が接続される回路要素とは、回路基板以外に、電子機器の筺体に形成された回路パターンを含む。また、フレキシブルケーブルで接続される回路要素は同一の基板あるいは筺体に形成されたものであってもよい。
【産業上の利用可能性】
【００３７】
以上のように、本発明は、フレキシブルケーブルや電子機器に有用であり、特に、簡単な構成からなり、容易に製造可能であって、十分なフレキシブル性を有し、容量値を大きくすることも可能である点で優れている。
【符号の説明】
【００３８】
１Ａ，１Ｂ，１Ｃ，１Ｄ…フレキシブルケーブル
１０…フレキシブル基材
１１，１１ａ，１１ｂ，１１ｃ，２１，２１ａ，２１ｂ，２１ｃ…コンデンサ電極
１２，１４，２２，２４…コネクタ
１５，２５…コンデンサ電極
１６，２６…ビアホール導体
３１…両面テープ
３２…補強板
５０…携帯端末
５５．５７…回路基板
５６，５８…プリント配線
【図１】
2014203633.tif 000003
【図２】
2014203633.tif 000004
【図３】
2014203633.tif 000005
【図４】
2014203633.tif 000006
【図５】
2014203633.tif 000007
【図６】
2014203633.tif 000008
【図７】
2014203633.tif 000009
【図８】
2014203633.tif 000010
【図９】
2014203633.tif 000011
【図１０】
2014203633.tif 000012
【図１１】
2014203633.tif 000013
【図１２】
2014203633.tif 000014
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１接続部及び前記第２接続部は、それぞれ、別体に配置された第１回路要素及び第２回路要素に設けた電気導体に接続されるものであり、
前記第１コンデンサ電極と前記第２コンデンサ電極とは、前記フレキシブル基材を介して対向配置されることでコンデンサ素子を構成すること、
を特徴とするコンデンサ。
【請求項２】
前記コンデンサ素子以外の回路素子を含まないこと、を特徴とする請求項１に記載のコンデンサ。
【請求項３】
前記フレキシブル基材にはビアホール導体を含まないこと、を特徴とする請求項１又は請求項２に記載のコンデンサ。
【請求項４】
前記第１接続部及び前記第２接続部にコネクタ部材が取り付けられていること、を特徴とする請求項１ないし請求項３のいずれかに記載のコンデンサ。
【請求項５】
前記第１コンデンサ電極及び／又は前記第２コンデンサ電極は、前記フレキシブル基材に複数層にわたって延設されており、かつ、該複数層の電極がビアホール導体を介して接続されていること、を特徴とする請求項１に記載のコンデンサ。
【請求項６】
前記フレキシブル基材の少なくとも一方端部が折り返されていること、を特徴とする請求項１ないし請求項５のいずれかに記載のコンデンサ。
【請求項７】
前記フレキシブル基材の一方端部又は他方端部が（２ｎ＋１）回折り返されており、他方端部又は一方端部が２ｎ回折り返されていること（但しｎは０、又は正の整数である）、を特徴とする請求項１ないし請求項６のいずれかに記載のコンデンサ。
【請求項８】
前記フレキシブル基材の一方端部及び他方端部はそれぞれ同じ回数だけ折り返されていること、を特徴とする請求項１ないし請求項５のいずれかに記載のコンデンサ。
【請求項９】
前記フレキシブル基材は、その中央部で折り返されていること、を特徴とする請求項１ないし請求項５のいずれかに記載のコンデンサ。
【請求項１０】
前記フレキシブル基材が折り返された部分に接着層が介在されていること、を特徴とする請求項６ないし請求項９のいずれかに記載のコンデンサ。
【請求項１１】
前記フレキシブル基材の一方端部及び／又は他方端部に補強板が配置されていること、を特徴とする請求項１ないし請求項１０のいずれかに記載のコンデンサ。
【請求項１２】
前記第１コンデンサ電極は前記第１面のほぼ全面に形成され、前記第２コンデンサ電極は前記第２面のほぼ全面に形成されていること、を特徴とする請求項１ないし請求項１１のいずれかに記載のコンデンサ。
【請求項１３】
前記フレキシブル基材を介して対向配置された前記第１コンデンサ電極及び前記第２コンデンサ電極が複数対設けられていること、を特徴とする請求項１ないし請求項１１のいずれかに記載のコンデンサ。
【請求項１４】
前記第２コンデンサ電極に開口部が形成され、
前記第１コンデンサ電極にその幅方向の両側に切欠き部が形成され、
前記開口部及び前記切欠き部が形成されている領域において、前記第１コンデンサ電極と前記第２コンデンサ電極が対向部を有さないこと、
を特徴とする請求項１ないし請求項１３のいずれかに記載のコンデンサ。
【請求項１５】
前記第１コンデンサ電極又は前記第２コンデンサ電極のいずれか一方において、幅寸法を他の領域よりも小さくした領域を有すること、を特徴とする請求項１ないし請求項１４のいずれかに記載のコンデンサ。
【請求項１６】
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１コンデンサ電極と前記第２コンデンサ電極とは、前記フレキシブル基材を介して対向配置されることでコンデンサ素子を構成するコンデンサと、
前記第１接続部が接続された第１回路要素と、
前記第２接続部が接続された第２回路要素と、
を備えたことを特徴とする電子機器。
【手続補正２】
【補正対象書類名】明細書
【補正対象項目名】全文
【補正方法】変更
【補正の内容】
【発明の詳細な説明】
【技術分野】
【０００１】
本発明は、コンデンサ、特に、容量を内蔵して基板間を電気的に接続するためのフレキシブルなコンデンサ及び該コンデンサを備えた電子機器に関する。
【背景技術】
【０００２】
近年、携帯端末などには複数の回路基板が内蔵されており、これらの複数の回路基板間を電気的に接続するためのケーブルが必要とされている。この種のケーブルは引き回しの容易性からフレキシブルなことが望まれ、かつ、単に電気的な接続を図るのみならず、コンデンサ素子などの受動素子が設けられていることが好ましい。
【０００３】
従来、フレキシブルなコンデンサとしては特許文献１に記載のものが知られている。しかしながら、このフレキシブル薄膜コンデンサは複数の電極膜や誘電体層が積層されているため、フレキシブル性が必ずしも良好ではなく、製造工程が煩雑である。また、端子間の寸法が小さいので、容量値の大きなコンデンサを形成することが困難である。
【先行技術文献】
【特許文献】
【０００４】
【特許文献１】特開２０００−３５７６３１号公報
【発明の概要】
【発明が解決しようとする課題】
【０００５】
本発明の目的は、簡単な構成からなり、容易に製造可能であって、十分なフレキシブル性を有し、容量値の大きなコンデンサ素子を備えたコンデンサ及び電子機器を提供することにある。
【課題を解決するための手段】
【０００６】
本発明の第１の形態であるコンデンサは、
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１接続部及び前記第２接続部は、それぞれ、別体に配置された第１回路要素及び第２回路要素に設けた電気導体に接続されるものであり、
前記第１コンデンサ電極と前記第２コンデンサ電極とは、前記フレキシブル基材を介して対向配置されることでコンデンサ素子を構成すること、
を特徴とする。
【０００７】
本発明の第２の形態である電子機器は、前記コンデンサと、前記第１接続部が接続された第１回路要素と、前記第２接続部が接続された第２回路要素と、を備えたことを特徴とする。
【０００８】
前記コンデンサは、第１接続部及び第２接続部をそれぞれ回路基板の所定の電気導体に接続することで、１又は複数の回路基板をコンデンサ素子としての機能を付加した状態で電気的に接続する。このコンデンサは、フレキシブル基材とその第１面及び第２面にそれぞれ設けられた第１コンデンサ電極及び第２コンデンサ電極との積層構造からなるため、構造が簡単であり、フレキシブル性に優れ、かつ、製造も容易である。また、フレキシブル基材の長さを大きくすることによって、コンデンサ素子の容量値を大きく設定することが可能である。
【発明の効果】
【０００９】
本発明によれば、簡単な構成からなり、容易に製造可能であって、十分なフレキシブル性を有し、容量値の大きなコンデンサ素子を備えたコンデンサ及び電子機器を得ることができる。
【図面の簡単な説明】
【００１０】
【図１】第１実施例であるフレキシブルケーブルを示し、（Ａ）は斜視図、（Ｂ）は容量発生の説明図、（Ｃ）は等価回路図である。
【図２】前記フレキシブルケーブルを備えた携帯電話機の概略構成を示し、（Ａ）は断面図、（Ｂ）は筺体の内部を示す平面図である。
【図３】前記フレキシブルケーブルの第１の取付け状態を示す断面図である。
【図４】前記フレキシブルケーブルの第２の取付け状態を示す断面図である。
【図５】前記フレキシブルケーブルの第３の取付け状態を示す断面図である。
【図６】前記フレキシブルケーブルの第４の取付け状態を示す断面図である。
【図７】前記フレキシブルケーブルの第５の取付け状態を示す断面図である。
【図８】第２実施例であるフレキシブルケーブルを示す斜視図である。
【図９】第３実施例であるフレキシブルケーブルとその取付け状態を示す断面図である。
【図１０】第４実施例であるフレキシブルケーブルを示し、（Ａ）は断面図、（Ｂ）はＹ部分の分解斜視図である。
【図１１】（Ａ），（Ｂ）ともに、フレキシブルケーブルの他の取付け状態を示す平面図である。
【図１２】フレキシブルケーブルの他の例を示す平面図である。
【発明を実施するための形態】
【００１１】
以下、本発明に係るコンデンサ及び電子機器の実施例について添付図面を参照して説明する。なお、各図において、共通する部品、部分は同じ符号を付し、重複する説明は省略する。
【００１２】
第１実施例であるフレキシブルケーブル（コンデンサ）１Ａは、図１（Ａ）に示すように、互いに対向する第１面及び第２面を有する長尺状の誘電体からなるフレキシブル基材１０と、第１コンデンサ電極１１と、第２コンデンサ電極２１とで構成されている。即ち、第１コンデンサ電極１１と第２コンデンサ電極２１とはフレキシブル基材１０を介して対向配置されており、これにより、コンデンサ素子が構成されている。第１コンデンサ電極１１は、フレキシブル基材１０の第１面のほぼ全面に設けられ、フレキシブル基材１０の一方端部から他方端部に延設され、端部には雄型のコネクタ１２（第１接続部）が配置されている。第２コンデンサ電極２１は、フレキシブル基材１０の第２面のほぼ全面に設けられ、フレキシブル基材１０の他方端部から一方端部に延設され、端部には雄型のコネクタ２２（第２接続部）が配置されている。これらのコネクタ１２，２２は表面実装型のコネクタである。
【００１３】
このフレキシブルケーブル１Ａにあっては、図１（Ｂ）に示すように、大面積の容量部が形成され、高周波的には図１（Ｃ）に示すように、複数のインダクタとキャパシタを有したＬｏｗ-ＥＳＬ回路を構成しており、高周波電流は、例えば、コネクタ２２からコネクタ１２へ矢印ａ方向に流れる。フレキシブルケーブル１Ａは、長尺状のフレキシブル基材１０とその第１面及び第２面にそれぞれ設けられた第１コンデンサ電極１１及び第２コンデンサ電極２１との積層構造からなるため、構造が簡単であり、フレキシブル性に優れ、かつ、製造も容易である。また、フレキシブル基材１０の長さや幅を大きくすることによって、コンデンサ素子の容量値を大きく設定することが可能である。特に、第１実施例においては、フレキシブル基材１０にはビアホール導体などの層間接続導体が存在しないため、製造工程がより簡略化されるとともに、フレキシブル性が大きく損なわれることもない。
【００１４】
フレキシブル基材１０は、例えば、液晶ポリマーやポリイミドのような熱可塑性樹脂から形成されている。コンデンサ電極１１，２１は、例えば、銅やアルミニウムなどの金属箔から形成されている。
【００１５】
フレキシブルケーブル１Ａは、好ましくは、広い面積のフレキシブル基材１０（マザーシート）の表裏面のそれぞれに全面的にコンデンサ電極１１，２１をラミネートしたものから作製される。例えば、誘電体基材の両主面に金属箔を有した両面金属貼りシートを用意し、各主面の金属箔をフォトリソグラフィー及び／又はエッチング技術を利用してパターニングすることにより、各コンデンサ電極１１，２１を有したフレキシブル基材１０を得ることができる。金属箔として例えば銅箔が用いられる。即ち、マザーシート上のコンデンサ電極を一単位のケーブルに対応した短冊状にエッチング処理で形成し、マザーシートをカットすることにより１単位のフレキシブルケーブル１Ａが得られる。
【００１６】
前記フレキシブルケーブル１Ａは、例えば、図２に示す携帯端末５０に内蔵されている回路基板５５，５７の間を容量を介して接続するために使用される。ここで、携帯端末５０の筺体は本体５１と裏蓋５２とで構成されている。本体５１にはバッテリーパック５３を挟んで回路基板５５，５７が配置され、回路基板５５，５７上には種々の回路素子が実装されている。フレキシブルケーブル１Ａは、回路基板５５，５７上に設けた雌型コネクタ６１，６２に前記雄型コネクタ１２，２２を接続することで、バッテリーパック５３を跨いで回路基板間５５，５７を接続する。
【００１７】
フレキシブルケーブル１Ａにおいては、より詳細には、図３に示すように、コンデンサ電極１１，２１の表面に、コネクタ１２，２２の取付け部分を除いて、絶縁性保護材としてのレジスト層１３，２３が設けられている。即ち、コンデンサ電極１１、２１はレジスト層１３，２３にそれぞれ覆われており、レジスト層１３，２３は、コンデンサ電極１１，２１の耐腐食性向上に寄与するとともに、コンデンサ電極１１，２１に対する他の金属材からの絶縁性を確保している。但し、レジスト層１３，２３は、折返し部分の柔軟性を確保するため、該折返し部分には設けないようにしてもよい。
【００１８】
図３は、フレキシブルケーブル１Ａの第１の取付け状態を示すものであって、フレキシブルケーブル１Ａの一方端部は折り返されることなく、第１コンデンサ電極１１の端部がコネクタ１２を介して回路基板５５上に設けたコネクタ６１に接続される。また、フレキシブルケーブル１Ａの他方端部は１回折り返すことにより、第２コンデンサ電極２１の端部がコネクタ２２を介して回路基板５７上の設けたコネクタ６２に接続される。コネクタ６１，６２はそれぞれ回路基板５５，５７に設けたプリント配線５６，５８に接続されており、プリント配線５６，５８はレジスト層５９にて保護されている。
【００１９】
このように、フレキシブルケーブル１Ａの他方端部を１回折り返すことにより、ビアホール導体のような層間接続導体を設けなくても、ほぼ同一平面上に配置されている回路基板５５，５７のプリント配線５６，５８が、フレキシブルケーブル１Ａの表裏面に配置されたコンデンサ電極１１，２１を介して接続されることになる。なお、折り返し部分は図３に示した位置から左右方向にずらすことができる。そのため、図３において、コネクタ６１とコネクタ６２との間の距離が基板５５，５７の配置ずれなどで変化しても長さ調節が可能である。
【００２０】
さらに、フレキシブルケーブル１Ａの他方端部で折り返した部分は両面テープ３１で接着されている。これにて、特にフレキシブルケーブル１Ａ自体が弾性を有している場合、他方端部がばらけてしまうことが防止され、かつ、他方端部の強度が増すのでコネクタ２２，６２の嵌め込み作業が容易になる。即ち、フレキシブルケーブル１Ａは、接続部と重なるように折り返され、かつ、その形状が保持されていることが好ましい。また、フレキシブルケーブル１Ａの一方端部にはステンレスなどからなる補強板３２が貼着されており、コネクタ１２，６１の嵌め込み作業を容易なものとしている。なお、折り返し部分は両面テープの他、液状の接着剤等からなる接着層にてその形状が保持されていてもよい。
【００２１】
図４に前記フレキシブルケーブル１Ａの第２の取付け状態を示す。ここでは、フレキシブルケーブル１Ａの一方端部を蛇腹状に２回折返してコンデンサ電極１１の端部を導電性接着剤３３を介して回路基板５５のプリント配線５６に接続し、フレキシブルケーブル１Ａの他方端部を蛇腹状に３回折り返してコンデンサ電極２１の端部を導電性接着剤やはんだなどの接合剤３３を介して回路基板５７のプリント配線５８に接続している。
【００２２】
ほぼ同一平面上に配置された回路基板５５，５７の間にフレキシブルケーブル１Ａを配置する場合、フレキシブルケーブル１Ａの一方端部又は他方端部は（２ｎ＋１）回折り返され、他方端部又は一方端部は２ｎ回折り返されることが必要となる。但し、ｎは０又は正の整数である。即ち、フレキシブルケーブル１Ａの端部が接続される二つの被接続部の向く向きがそれぞれ同方向である場合、各端部の折り返し回数の差が奇数になっていればよい。
【００２３】
図５にフレキシブルケーブル１Ａの第３の取付け状態を示す。ここでは、互いに対向する方向に配置された回路基板５５，５７のプリント配線５６，５８をフレキシブルケーブル１Ａで接続する場合である。フレキシブルケーブル１Ａの一方端部及び他方端部のそれぞれを同じ回数（ここでは１回ずつ）折り返し、コンデンサ電極１１の端部をコネクタ１２，６１を介して回路基板５５のプリント配線５６に接続し、コンデンサ電極２１の端部をコネクタ２２，６２を介して回路基板５７のプリント配線５８に接続している。二つの被接続部の向く向きがそれぞれ逆方向である場合、フレキシブルケーブル１Ａの一方端部と他方端部との折返し回数は必ずしも同数ではなく、折返し回数の差が偶数であればよい。
【００２４】
図６にフレキシブルケーブル１Ａの第４の取付け状態を示す。ここでは、垂直方に配置された回路基板５５のプリント配線５６と水平方向に配置された回路基板５７のプリント配線５８をフレキシブルケーブル１Ａで接続する場合である。フレキシブルケーブル１Ａの一方端部をほぼ直角に屈曲させ、コンデンサ電極１１の端部をコネクタ１２，６１を介して回路基板５５のプリント配線５６に接続し、フレキシブルケーブル１Ａの他方端部を１回折り返し、コンデンサ電極２１の端部をコネクタ２２，６２を介して回路基板５７のプリント配線５８に接続している。
【００２５】
図７にフレキシブルケーブル１Ａの第５の取付け状態を示す。ここでは、垂直方向に配置された回路基板５５のプリント配線５６と下向きに配置された回路基板５７のプリント配線５８をフレキシブルケーブル１Ａで接続する場合である。フレキシブルケーブル１Ａの一方端部をほぼ直角に屈曲させ、コンデンサ電極１１の端部をコネクタ１２，６１を介して回路基板５５のプリント配線５６に接続し、フレキシブルケーブル１Ａの他方端部を折り返すことなく、コンデンサ電極２１の端部をコネクタ２２，６２を介して回路基板５７のプリント配線５８に接続している。
【００２６】
図８に第２実施例であるフレキシブルケーブル（コンデンサ）１Ｂを示す。このフレキシブルケーブル１Ｂは、１枚の長尺状のフレキシブル基材１０の第１面及び第２面に、それぞれ対向する３対の第１コンデンサ電極１１ａ，１１ｂ，１１ｃ及び第２コンデンサ電極２１ａ，２１ｂ，２１ｃを設けたものである。従って、第１コンデンサ電極１１ａ，１１ｂ，１１ｃの端部に取り付けられたコネクタ１４、及び、第２コンデンサ電極２１ａ，２１ｂ，２１ｃの端部に取り付けられたコネクタ２４は、それぞれ、三端子タイプである。コンデンサ電極による回路は、２回路であってもよく、あるいは、３回路以上であってもよい。それぞれの回路において、コンデンサ電極１１ａ，２１ａ、１１ｂ，２１ｂ、１１ｃ，２１ｃの対向面積を異ならせれば、それぞれの回路における容量値を異ならせることができる。回路基板５５，５７への取付けは、前記した種々の形態を採用できることは勿論である。
【００２７】
図９に第３実施例であるフレキシブルケーブル（コンデンサ）１Ｃを示す。このフレキシブルケーブル１Ｃは、フレキシブル基材１０を複数層で形成し、第１面及び第２面に設けた第１コンデンサ電極１１及び第２コンデンサ電極２１以外にも、フレキシブル基材１０の内部にコンデンサ電極１５，２５が一方端部から他方端部へ延設されている。そして、第１コンデンサ電極１１の端部と内蔵されたコンデンサ電極１５の端部とがビアホール導体１６を介して接続され、第２コンデンサ電極２１の端部と内蔵されたコンデンサ電極２５の端部とがビアホール導体２６を介して接続されている。
【００２８】
本第３実施例においては、内蔵されたコンデンサ電極１５が第１コンデンサ電極１１と同電位であり、内蔵されたコンデンサ電極２５が第２コンデンサ電極２１と同電位である。即ち、電極１１，１５が第１コンデンサ電極として機能し、電極２１，２５が第２コンデンサ電極として機能する。よって、大きな容量値を得ることができる。なお、ビアホール導体１６，２６はＡｇやＣｕなどの柱状の金属体にて構成されており、このような層間接続導体をフレキシブル基材１０に設けるとフレキシブル性が損なわれるおそれがある。しかし、本第３実施例のごとく、ビアホール導体１６，２６をコネクタ１２，２２を配置したエリア、即ち、平面視で接続部と重なるエリア内に設けることにより、フレキシブル基材１０のフレキシブル性を損なうことはない。むしろ、接続部の剛性を高めるうえでは好ましい。
【００２９】
なお、前記実施例ではコネクタ１２，２２をケーブルのそれぞれ反対側の面に設けた例を示したが、本第３実施例のようにビアホール導体などの層間接続導体を用いることにより、コネクタ１２，２２をケーブルの同じ側の面に設けることも可能である。
【００３０】
図１０に第４実施例であるフレキシブルケーブル（コンデンサ）１Ｄを示す。このフレキシブルケーブル１Ｄは、他方端部の折返し部分において、第２コンデンサ電極２１に開口部２７を形成し、第１コンデンサ電極１１の両側に切欠き部１７を形成したものである。折返し部分はフレキシブル基材１０の伸びの状態によって容量値が変化することがある。本第４実施例では、折返し部分において電極１１，２１の対向部分をなくして容量が形成されないようにしている。これにて、折返し部分での容量値の変化を未然に解消することができる。
【００３１】
なお、折返し部分における容量値の変化を極力防止するには、折返し部分における電極１１，２１の対向部分を０にする以外に、電極１１，２１の一方のみの幅寸法を小さくするなどして、折返し部分の容量値を他の部分よりも小さくしてもよい。
【００３２】
また、フレキシブルケーブル１Ａは、図１１（Ａ）に示すように、中央部分で１回折り返した状態で回路基板のプリント配線５６，５８に接続することも可能である。この場合、同一平面上に配置されたプリント配線５６，５８に対しては、コンデンサ電極１１の端部が配線５６に接続され、コンデンサ電極２１の端部が配線５８に接続される。
【００３３】
さらに、フレキシブルケーブル１Ａは、図１１（Ｂ）に示すように、１回ひねった状態で回路基板のプリント配線５６，５８に接続することも可能である。この場合、同一平面上に配置されたプリント配線５６，５８に対しては、コンデンサ電極１１の端部が配線５６に接続され、コンデンサ電極２１の端部が配線５８に接続される。
【００３４】
なお、フレキシブルケーブル１Ａにおいて、コンデンサ電極１１，２１はフレキシブル基材１０の第１面及び第２面にそれぞれ全面的に設けられている必要はなく、例えば、図１２に示すように、第１コンデンサ電極１１の端部１１'を幅狭の第１接続部とし、第２コンデンサ電極２１の端部２１'を幅狭の第２接続部としてもよい。
【００３５】
（他の実施例）
なお、本発明に係るコンデンサ及び電子機器は前記実施例に限定するものではなく、その要旨の範囲内で種々に変更することができる。
【００３６】
例えば、コンデンサ電極の細部の構成、形状などは任意である。コンデンサによって接続される回路基板の構成、形状、配置関係なども任意である。特に、コンデンサが配置される電子機器は前記携帯端末に限定するものではない。コンデンサの第１接続部及び第２接続部が接続される回路要素とは、回路基板以外に、電子機器の筺体に形成された回路パターンを含む。また、コンデンサで接続される回路要素は同一の基板あるいは筺体に形成されたものであってもよい。
【産業上の利用可能性】
【００３７】
以上のように、本発明は、コンデンサや電子機器に有用であり、特に、簡単な構成からなり、容易に製造可能であって、十分なフレキシブル性を有し、容量値を大きくすることも可能である点で優れている。
【符号の説明】
【００３８】
１Ａ，１Ｂ，１Ｃ，１Ｄ…フレキシブルケーブル（コンデンサ）
１０…フレキシブル基材
１１，１１ａ，１１ｂ，１１ｃ，２１，２１ａ，２１ｂ，２１ｃ…コンデンサ電極
１２，１４，２２，２４…コネクタ
１５，２５…コンデンサ電極
１６，２６…ビアホール導体
３１…両面テープ
３２…補強板
５０…携帯端末
５５．５７…回路基板
５６，５８…プリント配線
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１接続部及び前記第２接続部は、それぞれ、別体に配置された第１回路要素及び第２回路要素に設けた電気導体に接続されるものであり、
前記第１コンデンサ電極と前記第２コンデンサ電極とは、前記フレキシブル基材を介して対向配置されることでコンデンサ素子を構成し、
前記フレキシブル基材は、前記第１接続部から前記第２接続部までの区間の一部である所定区間を有し、
前記第１コンデンサ電極及び前記第２コンデンサ電極が前記所定区間の全長にわたって設けられ、
前記所定区間においては、前記第１コンデンサ電極と前記第２コンデンサ電極との対向部分がないこと、
を特徴とするコンデンサ。
【請求項２】
前記所定区間において、折り曲げられること、を特徴とする請求項１に記載のコンデンサ。
【請求項３】
前記所定区間において、
前記第２コンデンサ電極に開口部が形成され、
前記第１コンデンサ電極にその幅方向の両側に切り欠き部が形成され、
前記開口部は前記第１コンデンサ電極に重なり、
前記切り欠き部は前記第２コンデンサ電極に重なること、
を特徴とする請求項１または請求項２に記載のコンデンサ。
【請求項４】
前記コンデンサ素子以外の回路素子を含まないこと、を特徴とする請求項１ないし請求項３のいずれかに記載のコンデンサ。
【請求項５】
前記フレキシブル基材にはビアホール導体を含まないこと、を特徴とする請求項１ないし請求項４に記載のコンデンサ。
【請求項６】
前記第１接続部及び前記第２接続部にコネクタ部材が取り付けられていること、を特徴とする請求項１ないし請求項５のいずれかに記載のコンデンサ。
【請求項７】
前記第１コンデンサ電極及び／又は前記第２コンデンサ電極は、前記フレキシブル基材に複数層にわたって延設されており、かつ、該複数層の電極がビアホール導体を介して接続されていること、を特徴とする請求項１ないし請求項３のいずれかに記載のコンデンサ。
【請求項８】
前記フレキシブル基材の少なくとも一方端部が折り返されていること、を特徴とする請求項１ないし請求項７のいずれかに記載のコンデンサ。
【請求項９】
前記フレキシブル基材の一方端部又は他方端部が（２ｎ＋１）回折り返されており、他方端部又は一方端部が２ｎ回折り返されていること（但しｎは０、又は正の整数である）、を特徴とする請求項１ないし請求項８のいずれかに記載のコンデンサ。
【請求項１０】
前記フレキシブル基材の一方端部及び他方端部はそれぞれ同じ回数だけ折り返されていること、を特徴とする請求項１ないし請求項７のいずれかに記載のコンデンサ。
【請求項１１】
前記フレキシブル基材は、その中央部で折り返されていること、を特徴とする請求項１ないし請求項７のいずれかに記載のコンデンサ。
【請求項１２】
前記フレキシブル基材が折り返された部分に接着層が介在されていること、を特徴とする請求項８ないし請求項１１のいずれかに記載のコンデンサ。
【請求項１３】
前記フレキシブル基材の一方端部及び／又は他方端部に補強板が配置されていること、を特徴とする請求項１ないし請求項１２のいずれかに記載のコンデンサ。
【請求項１４】
前記第１コンデンサ電極は前記第１面のほぼ全面に形成され、前記第２コンデンサ電極は前記第２面のほぼ全面に形成されていること、を特徴とする請求項１ないし請求項１３のいずれかに記載のコンデンサ。
【請求項１５】
前記フレキシブル基材を介して対向配置された前記第１コンデンサ電極及び前記第２コンデンサ電極が複数対設けられていること、を特徴とする請求項１ないし請求項１３のいずれかに記載のコンデンサ。
【請求項１６】
前記第１コンデンサ電極又は前記第２コンデンサ電極のいずれか一方において、幅寸法を他の領域よりも小さくした領域を有すること、を特徴とする請求項１ないし請求項１５のいずれかに記載のコンデンサ。
【請求項１７】
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１コンデンサ電極と前記第２コンデンサ電極とは、前記フレキシブル基材を介して対向配置されることでコンデンサ素子を構成するコンデンサと、
前記第１接続部が接続された第１回路要素と、
前記第２接続部が接続された第２回路要素と、
を備え、
前記フレキシブル基材は、前記第１接続部から前記第２接続部までの区間の一部である所定区間を有し、
前記第１コンデンサ電極及び前記第２コンデンサ電極が前記所定区間の全長にわたって設けられ、
前記所定区間においては、前記第１コンデンサ電極と前記第２コンデンサ電極との対向部分がないこと、
を特徴とする電子機器。
【手続補正２】
【補正対象書類名】明細書
【補正対象項目名】０００６
【補正方法】変更
【補正の内容】
【０００６】
本発明の第１の形態であるコンデンサは、
互いに対向する第１面及び第２面を有するフレキシブル基材と、
前記フレキシブル基材の前記第１面側に設けられ、前記フレキシブル基材の一方端部から他方端部に延設された第１コンデンサ電極と、
前記フレキシブル基材の前記第２面側に設けられ、前記フレキシブル基材の他方端部から一方端部に延設された第２コンデンサ電極と、
前記フレキシブル基材の一方端部であって前記第１コンデンサ電極の端部に設けられた第１接続部と、
前記フレキシブル基材の他方端部であって前記第２コンデンサ電極の端部に設けられた第２接続部と、
を備え、
前記第１接続部及び前記第２接続部は、それぞれ、別体に配置された第１回路要素及び第２回路要素に設けた電気導体に接続されるものであり、
前記第１コンデンサ電極と前記第２コンデンサ電極とは、前記フレキシブル基材を介して対向配置されることでコンデンサ素子を構成し、
前記フレキシブル基材は、前記第１接続部から前記第２接続部までの区間の一部である所定区間を有し、
前記第１コンデンサ電極及び前記第２コンデンサ電極が前記所定区間の全長にわたって設けられ、
前記所定区間においては、前記第１コンデンサ電極と前記第２コンデンサ電極との対向部分がないこと、
を特徴とする。
【国際調査報告】
2014203633.tif 000015
2014203633.tif 000016
2014203633.tif 000017
2014203633.tif 000018